(57)【要約】【課題】粉体コンテナの排出口を粉体供給口に出し入れする際に、粉体供給口の内周に備えるシールが、排出口の外周に接触して擦られ損傷や密閉性が損なわれる問題、また排出口を抜出す際に「反転めくれ」や撓んだ状態から平板への復元振動により、粉体を飛散させ粉塵を発生させる問題を解決する。【解決手段】粉体供給口８の挿入した排出口６の外周との間に備えるシール２が、粉体供給口８の内周に環状に設置され、断面が膨張および収縮を可能に形成され、挿入した排出口６の外周に膨張状態において当接し、収縮状態において外周との間に隙間を形成する。【選択図】図１
2013079140.tif 000002
【特許請求の範囲】
【請求項１】
粉体コンテナの排出口を出し入れ自在に受入れる粉体供給口の、挿入した排出口の外周との間に備えるシールであって、
該シールが、
粉体供給口の内周に環状に設置され、断面が膨張および収縮を可能に形成され、
挿入した排出口の外周に膨張状態において当接し、収縮状態において外周との間に隙間を形成する、
ことを特徴とする粉体供給口のシール。
【請求項２】
該シールが、
断面中空に形成され、中空への圧力空気の注入により膨張し排出により収縮する、
ことを特徴とする請求項１記載の粉体供給口のシール。
【請求項３】
該シールが、
断面を粉体供給口への排出口の挿脱方向に伸びる楕円状に形成されている、
ことを特徴とする請求項１または２記載の粉体供給口のシール。
【発明の詳細な説明】
【技術分野】
【０００１】
本発明は、粉体コンテナの排出口が出し入れされる粉体供給口のシールに関する。
【背景技術】
【０００２】
粉体を収容したコンテナを、粉体供給場所の供給口の上に移送し、供給口に向けて下ろしてコンテナの排出口を供給口に挿入し、排出口を開閉し供給口に粉体を供給し、粉体を供給し終えたコンテナは供給口から排出口が抜出され離される装置がある（例えば、特許文献１参照）。
【０００３】
この装置は、挿入した排出口の外周と供給口の内周との間を塞ぐために、供給口の内周に環状に、挿入する排出口に係合する水平に伸びる板状の弾性体により形成されたリップシールを備えている。このシールは、供給口に排出口が挿入されるとき、排出口によって下向きに撓み変形され排出口の外周に密接する。
【先行技術文献】
【特許文献】
【０００４】
【特許文献１】特表２００２−５２３３０７号公報（図１）
【発明の概要】
【発明が解決しようとする課題】
【０００５】
上述したとおりの形態の従来の粉体供給口のシールには、次のとおりの解決すべき課題がある。
【０００６】
すなわち、粉体供給口に排出口を出し入れする際に、リップシールは排出口の外周に強く接触し擦られるので、損傷や密閉性の損なわれる問題がある。また、挿入した排出口を粉体供給口から抜出す際に、リップシールは排出口によって引きずられるので、「反転めくれ」や、撓んだ状態から平板への復元振動により、シール周辺の粉体を飛散させ粉塵を発生させる問題がある。
【０００７】
本発明は上記事実に鑑みてなされたもので、その技術的課題は、粉体コンテナの排出口を粉体供給口に出し入れし粉体を供給する装置において、粉体供給口の内周に備える排出口の外周との間のシールが、粉体供給口に排出口を出し入れする際に、排出口の外周に強く接触して擦られ、損傷や密閉性が損なわれる問題、また粉体供給口から排出口を抜出す際に、「反転めくれ」や、撓んだ状態から平板への復元振動により、シール周辺の粉体を飛散させ粉塵を発生させる問題を解決できる粉体供給口のシールを提供することである。
【課題を解決するための手段】
【０００８】
本発明によれば上記技術的課題を解決する粉体供給口のシールとして、粉体コンテナの排出口を出し入れ自在に受入れる粉体供給口の、挿入した排出口の外周との間に備えるシールが、粉体供給口の内周に環状に設置され、断面が膨張および収縮を可能に形成され、挿入した排出口の外周に膨張状態において当接し、収縮状態において外周との間に隙間を形成する、ことを特徴とする粉体供給口のシールが提供される。
【０００９】
好適には、該シールは、断面中空に形成され、中空への圧力空気の注入により膨張し排出により収縮する。
【００１０】
また、該シールは、断面を粉体供給口への排出口の挿脱方向に伸びる楕円状に形成されている。
【発明の効果】
【００１１】
本発明による粉体供給口の内周に環状に設置されるシールは、断面が膨張および収縮を可能に形成され、挿入した排出口の外周に膨張状態において当接し、収縮状態において外周との間に隙間を形成する。したがって、粉体供給口に排出口を出し入れする際に、シールが、排出口の外周に強く接触し擦られ、損傷や密閉性が損なわれる問題を解決できる。また、粉体供給口から排出口を抜出す際にシールが「反転めくれ」たり、撓んだ状態から平板への復元振動による、粉体の飛散、粉塵の発生の問題を解決できる。
【図面の簡単な説明】
【００１２】
【図１】本発明に従って構成された粉体供給口のシールを、粉体コンテナの排出口を粉体供給口に挿入した状態の部分拡大断面図で示した図。
【図２】図１に示すシールの詳細図。
【図３】粉体供給口と粉体コンテナを分離状態で示した側面図。
【発明を実施するための形態】
【００１３】
以下、本発明に従って構成された粉体供給口のシールについて、好適実施形態を図示している添付図面を参照して、さらに詳細に説明する。
【００１４】
図１を参照して説明する。番号２で示す粉体供給口のシールは、粉体コンテナ４の排出口６を出し入れ自在に受入れる粉体供給口８の、挿入した排出口６の外周との間に備えられ、粉体供給口８の内周に環状に設置され、断面が膨張および収縮を可能に形成され、挿入した排出口６の外周に膨張状態（二点鎖線で示す）において当接し、収縮状態（実線で示す）において外周との間に隙間を形成する。
【００１５】
図１とともに図３を参照して説明する。粉体コンテナ４は、粉体Ｈを収容し開閉弁１０を有した下部の排出口６から排出する容器で、筒状の本体４ａと、本体４ａから下方に伸び先端に排出口６が形成された漏斗状部４ｂと、漏斗状部４ｂの周囲に取付けられた複数個の脚フレーム４ｃを備えている。
【００１６】
この脚フレーム４ｃの下端面４ｄを粉体供給場所１２の所定位置に載置すると、粉体供給口８と排出口６の半径方向および出し入れ方向の位置が、図１に示す所定の関係に位置付けられる。
【００１７】
開閉弁１０は、底面を開放した中空円錐状に形成された弁本体１０ａと、弁本体１０ａの底面の周縁に取付けられ排出口６に接離する環状シール１０ｂを備えている。
【００１８】
開閉弁１０は、開閉手段１４によって昇降され（矢印Ｚ１、Ｚ２で示す）、排出口６に対して環状シール１０ｂが接離され、開閉される。開閉手段１４は、排出口６の外側下方から開閉弁１０の円錐状内面に接離自在に嵌合する昇降体１４ａと、昇降体１４ａを上下動させる昇降駆動体１４ｂと、昇降体１４ａと開閉弁１０の嵌合した状態を解除自在に保持するクランプシール１４ｃを備えている。
【００１９】
昇降駆動体１４ｂは、圧力空気の給排によって矢印Ｚ１（上方）とＺ２（下方）の、上下方向に伸縮する。圧力空気は、粉体供給場所１２に備えた圧力空気源１６の圧力空気が制御器１８により給排される。
【００２０】
粉体供給口８は、粉体コンテナ４の排出口６を受入れる上方に拡がった漏斗状に形成されている。開閉手段１４は粉体供給口８の中央に備えられている。
【００２１】
シール２について図２を参照して説明する。シール２は、断面中空のチューブ状に合成ゴムによって形成された本体２ａと、本体２ａの外周一箇所に外方に向けて延びた空気注排金具２ｂを備えている。シール本体２ａの断面は、排出口６の粉体供給口８への出し入れ方向（図３のＺ１、Ｚ２方向）に伸びた楕円状に形成されている。
【００２２】
シール２は、空気注排金具２ｂを通した圧力空気の注入により半径方向内方に膨張し（二点鎖線で示す）排出により元の形（実線で示す）に収縮する。
【００２３】
図２とともに図１、図３を参照して説明する。シール２は、粉体供給口８の開口上端の内周に環状に設置された溝フレーム９に挿入されている。シール２の空気注排金具２ｂは溝フレーム９を通されナット２０により溝フレーム９に固定されている。
【００２４】
シール２には、粉体供給場所１２の圧力空気源１６の圧力空気が制御器１８によって給排される。制御器１８によって、粉体コンテナ４の脚フレーム４ｃの端面４ｄを粉体供給場所１２に載置した状態（図１）においては圧力空気を供給して膨らませ、離した状態また離す際には圧力空気を排出して収縮させる。
【００２５】
上述したとおりの粉体供給口のシール２の作用効果について説明する。
【００２６】
本発明による粉体供給口のシールである、粉体コンテナ４の排出口６を出し入れ自在に受入れる粉体供給口８の挿入した排出口６の外周との間に備えるシール２は、粉体供給口８の内周に環状に設置され、断面が膨張および収縮を可能に形成され、挿入した排出口６の外周に膨張状態において当接し、収縮状態において外周との間に隙間を形成する。
【００２７】
したがって、シール２は、挿入した排出口６の外周に膨張状態において当接し、収縮状態において隙間を形成するので、粉体供給口８に排出口６を出し入れする際に、シール２が、排出口６の外周に強く接触し擦られ、損傷や密閉性が損なわれる問題を解決できる。また、粉体供給口８から排出口６を抜出す際にシール２が「反転めくれ」たり、撓んだ状態から平板への復元振動による、粉体の飛散、粉塵の発生の問題を解決できる。
【００２８】
上述のシール２は、断面中空に形成され、中空への圧力空気の注入により膨張し排出により収縮する。したがって、排出口６に確実に当接することができ、また排出口６から確実に離すことができる。
【００２９】
またシール２は、断面を粉体供給口８への排出口６の挿脱方向に伸びる楕円状に形成されている。したがって、より確実に排出口６の外周に当接密着することができる。
【符号の説明】
【００３０】
２：シール（粉体供給口のシール）
４：粉体コンテナ
６：排出口
８：粉体供給口
【図１】
2013079140.tif 000003
【図２】
2013079140.tif 000004
【図３】
2013079140.tif 000005